(57)【要約】【課題】  使用者の嗜好に合わせた音声案内の出力を行う電子機器を提供する。【解決手段】  本発明の電子機器は、各表示画面が表示手段に表示される回数を表示画面毎に計数する計数手段と、使用者が所定の操作を行う操作手段と、表示手段及び音声案内手段を制御する制御手段と、を備え、制御手段は、計数手段によって計数された表示画面の表示回数が所定の基準表示回数に達したときに、音声案内手段によって行われる音声案内の出力開始のタイミングを表示画面の表示開始のタイミングから所定時間だけ後に設定する所定の遅延時間まで遅延させて、その遅延時間の経過前に操作手段によって所定の操作が行われる場合、音声案内手段に音声案内の出力をさせることなく表示手段に次の表示画面を表示させ、遅延時間の経過時までに操作手段によって所定の操作が行われない場合、遅延時間の経過とともに音声案内手段に音声案内を出力させることを特徴とする。【選択図】    図５
2011043894.tif 000002
【特許請求の範囲】
【請求項１】
表示手段に複数の表示画面を表示するとともに、その表示された各表示画面の画面表示に対応して使用者が行うべき所定の操作に関する音声案内を音声案内手段によって出力する電子機器であって、
前記電子機器の電源が投入されている間において、前記複数の各表示画面が前記表示手段に表示される回数を表示画面毎に計数する計数手段と、
使用者が前記所定の操作を行う操作手段と、
前記表示手段及び前記音声案内手段を制御する制御手段と、を備え、
前記制御手段は、前記計数手段によって計数された前記表示画面の表示回数が所定の基準表示回数に達したときに、前記表示画面に対応して前記音声案内手段によって行われる音声案内の出力開始のタイミングを前記表示画面の表示開始のタイミングから所定時間だけ後に設定する所定の遅延時間まで遅延させて、その遅延時間の経過前に前記操作手段によって前記所定の操作が行われる場合、前記音声案内手段に音声案内の出力をさせることなく前記表示手段に次の表示画面を表示させ、前記遅延時間の経過時までに前記操作手段によって前記所定の操作が行われない場合、前記遅延時間の経過とともに前記音声案内手段に音声案内を出力させることを特徴とする電子機器。
【請求項２】
前記制御手段は、前記遅延時間の経過時までに前記操作手段によって前記所定の操作が行われない場合であって、前記音声案内手段の音声案内の出力の途中で前記操作手段によって前記所定の操作が行われる場合、前記音声案内手段に音声案内の出力を中止させ、前記表示手段に次の表示画面を表示させることを特徴とする請求項１に記載の電子機器。
【請求項３】
さらに、予め定められた少なくとも１つの前記基準表示回数に対応して前記遅延時間を任意の時間に設定可能な設定手段を備えることを特徴とする請求項１又は請求項２に記載の電子機器。
【請求項４】
さらに、少なくとも１つの前記基準表示回数を任意の回数に設定可能であり、その基準表示回数に対応する前記遅延時間を任意の時間に設定可能な設定手段を備えることを特徴とする請求項１又は請求項２に記載の電子機器。
【請求項５】
表示手段に複数の表示画面を表示するとともに、その表示された各表示画面の画面表示に対応して使用者が行うべき所定の操作に関する音声案内を音声案内手段によって出力する電子機器における音声出力制御方法であって、
前記電子機器の電源が投入されている間において、前記複数の各表示画面が前記表示手段に表示される回数を表示画面毎に計数する計数処理と、
前記計数処理によって計数された前記表示画面の表示回数が所定の基準表示回数に達したときに、前記表示画面に対応して前記音声案内手段によって行われる音声案内の出力開始のタイミングを前記表示画面の表示開始のタイミングから所定時間だけ後に設定する所定の遅延時間まで遅延させて、その遅延時間の経過前に操作手段によって前記所定の操作が行われる場合、前記音声案内手段に音声案内の出力をさせることなく前記表示手段に次の表示画面を表示させ、前記遅延時間の経過時までに前記操作手段によって前記所定の操作が行われない場合、前記遅延時間の経過とともに前記音声案内手段に音声案内を出力させる音声案内制御処理と、
を実行することを特徴とする電子機器おける音声出力制御方法。
【請求項６】
前記音声案内制御処理は、前記遅延時間の経過時までに前記操作手段によって前記所定の操作が行われない場合であって、前記音声案内手段の音声案内の出力の途中で前記操作手段によって前記所定の操作が行われる場合、前記音声案内手段に音声案内の出力を中止させ、前記表示手段に次の表示画面を表示させる処理を実行することを特徴とする請求項５に記載の電子機器における音声出力制御方法。
【請求項７】
表示手段に複数の表示画面を表示するとともに、その表示された各表示画面の画面表示に対応して使用者が行うべき所定の操作に関する音声案内を音声案内手段によって出力する電子機器における音声出力制御方法を実現するためのプログラムを記憶したコンピュータ読み取り可能な記憶媒体であって、
前記電子機器の電源が投入されている間において、前記複数の各表示画面が前記表示手段に表示される回数を表示画面毎に計数する計数処理と、
前記計数処理によって計数された前記表示画面の表示回数が所定の基準表示回数に達したときに、前記表示画面に対応して前記音声案内手段によって行われる音声案内の出力開始のタイミングを前記表示画面の表示開始のタイミングから所定時間だけ後に設定する所定の遅延時間まで遅延させて、その遅延時間の経過前に操作手段によって前記所定の操作が行われる場合、前記音声案内手段に音声案内の出力をさせることなく前記表示手段に次の表示画面を表示させ、前記遅延時間の経過時までに前記操作手段によって前記所定の操作が行われない場合、前記遅延時間の経過とともに前記音声案内手段に音声案内を出力させる音声案内制御処理と、
を実現するためのプログラムが記憶されたことを特徴とするコンピュータ読み取り可能な記憶媒体。
【請求項８】
前記音声案内制御処理は、前記遅延時間の経過時までに前記操作手段によって前記所定の操作が行われない場合であって、前記音声案内手段の音声案内の途中で前記操作手段によって前記所定の操作が行われる場合、前記音声案内手段に音声案内の出力を中止させ、前記表示手段に次の表示画面を表示させる処理を実行するためのプログラムが記憶されたことを特徴とする請求項７に記載のコンピュータ読み取り可能な記憶媒体。
【発明の詳細な説明】
【技術分野】
【０００１】
本発明は、音声案内手段を備えた電子機器と、この電子機器における音声出力制御方法と、この音声出力制御方法をコンピュータに実行させるためのプログラムが記憶された記憶媒体と、に関する。
【背景技術】
【０００２】
近年、操作手順やエラーメッセージ等の音声案内を出力する機能を備えた電子機器が多数販売されている。このような音声案内は、電子機器の初心者にとっては非常に便利な機能であるが、習熟者にとっては不要な機能であった。そこで、特開平７−３０２０１７号公報（特許文献１）では、音声停止キーを設置し、音声案内の再生中に音声停止キーが押下されると音声案内を停止する電子機器についての提案がなされている。
【０００３】
しかしながら、音声停止キーで音声案内を停止した場合、操作手順等の音声案内に関しては出力されなくてもよいが、エラーメッセージ等の出力されるべき音声案内までもが停止してしまうという問題点もあった。
【０００４】
そこで、特開平１１−１３４０５９号公報（特許文献２）では、操作手順等の習熟者には必要のないメッセージと、エラーメッセージ等の全ての使用者にとって必要なメッセージとをグループ分けし、音声案内を停止した場合であっても、エラーメッセージ等は出力されるように音声出力を制御する提案がなされている。
【０００５】
また、特開２００５−６２４３６号公報（特許文献３）では、音声案内の停止や再生といった操作、或いは、音声案内の音量調整の操作等が容易にできる電子機器についての提案がなされている。
【先行技術文献】
【特許文献】
【０００６】
【特許文献１】特開平７−３０２０１７号公報
【特許文献２】特開平１１−１３４０５９号公報
【特許文献３】特開２００５−６２４３６号公報
【発明の概要】
【発明が解決しようとする課題】
【０００７】
上述したように、音声案内の停止、再生、音量調整等を手動で可能としている電子機器や、音声案内の内容によってグループ分けすることにより音声停止の操作が行われた場合でも重要なメッセージは再生するといった音声出力制御を行う電子機器が既に用いられている。しかし、習熟者等の音声案内を不要とする使用者自身が設定変更の操作を行わなければならないために、電子機器の操作が煩雑となっていた。
【０００８】
また、操作を繰り返して行った後で使用を一時中断して使用を再開する場合、操作手順の一部を忘れ、手順を思い出すのに時間を要したり、操作手順の一部を誤って操作することもあった。
【０００９】
本発明は、表示画面の表示回数を計数し、該表示回数に応じて表示画面に対応する音声案内の出力開始のタイミングを表示画面の表示開始のタイミングより所定時間だけ遅延させ、その所定時間内に表示画面に対応した所定の操作が行われる場合に、音声案内を行わない処理を行うことにより、その所定時間内に操作可能な操作に習熟した操作者に対して不要な音声案内を出力することがなく快適に操作できるようにする一方で、操作に手間取るようなことがあれば音声案内を出力するようにして、必要な場合に音声案内の出力を行うことができる電子機器と、この電子機器における音声出力制御方法と、この音声出力制御方法を実現させるためのプログラムが記憶された記憶媒体と、を提供することを目的としている。
【課題を解決するための手段】
【００１０】
本発明の電子機器は、表示手段に複数の表示画面を表示するとともに、その表示された各表示画面の画面表示に対応して使用者が行うべき所定の操作に関する音声案内を音声案内手段によって出力する電子機器であって、前記電子機器の電源が投入されている間において、前記複数の各表示画面が前記表示手段に表示される回数を表示画面毎に計数する計数手段と、使用者が前記所定の操作を行う操作手段と、前記表示手段及び前記音声案内手段を制御する制御手段と、を備え、前記制御手段は、前記計数手段によって計数された前記表示画面の表示回数が所定の基準表示回数に達したときに、前記表示画面に対応して前記音声案内手段によって行われる音声案内の出力開始のタイミングを前記表示画面の表示開始のタイミングから所定時間だけ後に設定する所定の遅延時間まで遅延させて、その遅延時間の経過前に前記操作手段によって前記所定の操作が行われる場合、前記音声案内手段に音声案内の出力をさせることなく前記表示手段に次の表示画面を表示させ、前記遅延時間の経過時までに前記操作手段によって前記所定の操作が行われない場合、前記遅延時間の経過とともに前記音声案内手段に音声案内を出力させることを特徴とする。
【００１１】
そして、本発明の電子機器において、前記制御手段は、前記遅延時間の経過時までに前記操作手段によって前記所定の操作が行われない場合であって、前記音声案内手段の音声案内の出力の途中で前記操作手段によって前記所定の操作が行われる場合、前記音声案内手段に音声案内の出力を中止させ、前記表示手段に次の表示画面を表示させることを特徴とする。
【００１２】
また、予め定められた少なくとも１の前記基準表示回数に対応して前記遅延時間を任意の時間に設定可能な設定手段を備えることを特徴とする。尚、その設定手段は、少なくとも１つの前記基準表示回数を任意の回数に設定可能であり、その基準表示回数に対応する前記遅延時間を任意の時間に設定可能としてもよい。
【００１３】
本発明の電子機器における音声出力制御方法は、表示手段に複数の表示画面を表示するとともに、その表示された各表示画面の画面表示に対応して使用者が行うべき所定の操作に関する音声案内を音声案内手段によって出力する電子機器における音声出力制御方法であって、前記電子機器の電源が投入されている間において、前記複数の各表示画面が前記表示手段に表示される回数を表示画面毎に計数する計数処理と、前記計数処理によって計数された前記表示画面の表示回数が所定の基準表示回数に達したときに、前記表示画面に対応して前記音声案内手段によって行われる音声案内の出力開始のタイミングを前記表示画面の表示開始のタイミングから所定時間だけ後に設定する所定の遅延時間まで遅延させて、その遅延時間の経過前に操作手段によって前記所定の操作が行われる場合、前記音声案内手段に音声案内の出力をさせることなく前記表示手段に次の表示画面を表示させ、前記遅延時間の経過時までに前記操作手段によって前記所定の操作が行われない場合、前記遅延時間の経過とともに前記音声案内手段に音声案内を出力させる音声案内制御処理と、を実行することを特徴とする。
【００１４】
そしてまた、本発明の電子機器おける音声出力制御方法では、前記音声案内制御処理は、前記遅延時間の経過時までに前記操作手段によって前記所定の操作が行われない場合であって、前記音声案内手段の音声案内の出力の途中で前記操作手段によって前記所定の操作が行われる場合、前記音声案内手段に音声案内の出力を中止させ、前記表示手段に次の表示画面を表示させる処理を実行することを特徴とする。
【００１５】
本発明のコンピュータ読み取り可能な記憶媒体は、表示手段に複数の表示画面を表示するとともに、その表示された各表示画面の画面表示に対応して使用者が行うべき所定の操作に関する音声案内を音声案内手段によって出力する電子機器における音声出力制御方法を実現するためのプログラムを記憶したコンピュータ読み取り可能な記憶媒体であって、前記電子機器の電源が投入されている間において、前記複数の各表示画面が前記表示手段に表示される回数を表示画面毎に計数する計数処理と、前記計数処理によって計数された前記表示画面の表示回数が所定の基準表示回数に達したときに、前記表示画面に対応して前記音声案内手段によって行われる音声案内の出力開始のタイミングを前記表示画面の表示開始のタイミングから所定時間だけ後に設定する所定の遅延時間まで遅延させて、その遅延時間の経過前に操作手段によって前記所定の操作が行われる場合、前記音声案内手段に音声案内の出力をさせることなく前記表示手段に次の表示画面を表示させ、前記遅延時間の経過時までに前記操作手段によって前記所定の操作が行われない場合、前記遅延時間の経過とともに前記音声案内手段に音声案内を出力させる音声案内制御処理と、を実現するためのプログラムが記憶されたことを特徴とする。
【００１６】
さらに、本発明のコンピュータ読み取り可能な記憶媒体では、前記音声案内制御処理は、前記遅延時間の経過時までに前記操作手段によって前記所定の操作が行われない場合であって、前記音声案内手段の音声案内の途中で前記操作手段によって前記所定の操作が行われる場合、前記音声案内手段に音声案内の出力を中止させ、前記表示手段に次の表示画面を表示させる処理を実行するためのプログラムが記憶されたことを特徴とする。
【発明の効果】
【００１７】
本発明によれば、表示画面の表示回数を計数し、該表示回数に応じて表示画面に対応する音声案内の出力開始のタイミングを表示画面の表示開始のタイミングより所定時間だけ遅延させ、その所定時間内に表示画面に対応した所定の操作が行われる場合に、音声案内を行わない処理を行うことにより、その所定時間内に操作可能な操作に習熟した操作者に対して不要な音声案内を出力することがなく快適に操作できるようにする一方で、操作に手間取るようなことがあれば音声案内を出力するようにして、必要な場合に音声案内の出力を行うことができる電子機器と、この電子機器における音声出力制御方法と、この音声出力制御方法を実現させるためのプログラムが記憶された記憶媒体と、を提供できる。
【図面の簡単な説明】
【００１８】
【図１】本発明の実施例に係る文書作成装置の斜視図である。
【図２】本発明の実施例に係る文書作成装置の断面模式図である。
【図３】本発明の実施例に係る文書作成装置におけるキーボードを示す説明図である。
【図４】本発明の実施例に係る文書作成装置の機能ブロック図である。
【図５】本発明の実施例に係る文書作成装置の制御フローを示すフローチャートである。
【図６】本発明の実施例に係る文書作成装置の表示手段に表示される表示画面を示す説明図である。
【図７】本発明の実施例に係る文書作成装置の表示手段に表示される表示画面を示す説明図である。
【図８】本発明の実施例に係る文書作成装置の表示手段に表示される表示画面を示す説明図である。
【図９】本発明の実施例に係る文書作成装置の表示手段に表示される表示画面を示す説明図である。
【発明を実施するための形態】
【００１９】
以下、本発明を実施するための形態について述べる。本発明の電子機器は、複数の表示画面を表示手段44に表示するとともに、その表示された各表示画面の画面表示に対応して使用者が行うべき所定の操作に関する音声案内を音声案内手段48によって出力する文書作成装置1である。そして、この文書作成装置1は、制御手段41と、操作手段45と、表示手段44と、音声情報記憶手段と、音声案内手段48と、計数手段と、計時手段と、表示回数情報記憶手段と、音声制限情報記憶手段と、を備えている。
【００２０】
操作手段45は、設定画面が表示手段44に表示されているときに、使用者の設定事項の入力操作やその設定事項の確定操作に基づいて制御手段41に操作信号を送信する。表示手段44は、所定の操作信号を受信した制御手段41により制御されて複数の表示画面のうち所定の表示画面を表示する。音声情報記憶手段は、電子機器に関しての種々の設定を行う設定画面などの表示画面の操作に関する音声案内情報やエラーメッセージに関する音声案内情報を記憶している。音声案内手段48は、制御手段41に制御されることにより、音声情報記憶手段に記憶された表示画面の操作に関する音声案内情報に基づいた音声出力を行う。
【００２１】
そして、計数手段としての制御手段41は、文書作成装置1の電源が投入されている間において、複数の各表示画面が表示手段44に表示される回数を表示画面毎に計数する。表示回数情報記憶手段は、この計数手段により計数された表示回数の情報を複数の表示画面毎に記憶する。また、計時手段としての制御手段41は、設定画面が表示手段44に表示されてからの時間を計測する。
【００２２】
また、音声制限情報記憶手段には、表示画面の表示回数に関して音声案内の所定の制御を行うための基準となる基準表示回数の情報と、その基準表示回数に対応して、表示画面の表示開始のタイミングに遅延して出力を開始する音声案内の出力開始のタイミングを設定する遅延時間の情報が記憶されている。具体的には、第１の基準表示回数が１回、第２の基準表示回数が２回、第３の基準表示回数が３回以上と定められ、第１〜第３の基準表示回数に対応する第１〜第３の遅延時間は、夫々２秒、４秒、１分と定められている。
【００２３】
そして、制御手段41は、計時手段による計測時間が上記遅延時間を経過するまで各表示画面の操作に関する音声案内情報に基づく音声出力を音声案内手段48に行わせない制限制御を実行する。
【００２４】
したがって、制御手段41は、計数手段としての当該制御手段41によって計数された表示画面の表示回数が１回目（第１の基準表示回数）、或いは２回目（第２の基準表示回数）のときには、数秒で音声案内情報を音声案内手段48に出力させるが、表示回数が第３の基準表示回数である３回目に達したときには、音声案内情報を音声案内手段48に出力させずに、使用者の操作を待つ。しかし、１分間待機しても、所定の入力操作がなされなかった場合には、制御手段41は音声案内手段48に表示画面の操作に関する音声案内を出力させる。
【００２５】
つまり、表示手段44に表示される表示画面の表示回数が所定の基準表示回数に達したとき、制御手段41は、表示画面に対応して音声案内手段48によって行われる音声案内の出力開始のタイミングを表示画面の表示開始のタイミングから所定時間だけ後に設定する所定の遅延時間である２秒、４秒、１分が経過するまで遅延させて、遅延時間の経過時までに操作手段45によって所定の操作が行われない場合、遅延時間の経過とともに音声案内手段48に音声案内を出力させる。
【００２６】
そして、音声案内手段48の音声案内の出力の途中で操作手段45によって所定の操作が行われた場合、制御手段41は、音声案内手段48に音声案内の出力を中止させ、表示手段44に次の表示画面を表示させる。
【００２７】
また、この遅延時間の経過前に操作手段45によって所定の操作が行われる場合、制御手段41は、音声案内手段48に音声案内の出力をさせることなく表示手段44に次の表示画面を表示させる。
【００２８】
尚、この文書作成装置1は、音声制限情報記憶手段に記憶される上記基準表示回数及び遅延時間が予め定められているが、予め定められた上記基準表示回数の値に対して、上記遅延時間を任意の時間に設定可能にしてもよい。また、上記基準表示回数及び遅延時間の双方について任意に設定できるようにしてもよい。
【００２９】
さらに、この文書作成装置1は、表示回数情報記憶手段に記憶される表示回数の情報が電源投入時に初期化されるように構成されている。
【実施例】
【００３０】
以下、本発明の実施例を図に基づいて詳説する。本発明は、複数の表示画面を表示手段に表示するとともに、その表示された各表示画面の画面表示に対応して使用者が行うべき所定の操作に関する音声案内を音声案内手段によって出力する電子機器である。そして、この電子機器は、各表示画面の表示回数を個別に計数して、その表示回数に応じて音声案内の出力を制御する機能を有している。以下に、この音声出力制御機能を備えた電子機器として、文書作成装置1を例に挙げて述べる。
【００３１】
図１は、本発明の実施例に係る文書作成装置1の外観斜視図であり、図２は、文書作成装置1の側面断面模式図である。文書作成装置1は、葉書（１００×１４８ｍｍ）やＬ判（８９×１２７ｍｍ）、２Ｌ判（１７８×１２７ｍｍ）等の比較的小さな印刷用紙10に印刷を実行する装置であり、住所録を作成する機能や、住所録から自動で葉書に宛名書をする機能や、デジタルカメラで撮影した写真画像を取込み写真として印刷する機能や、文章を編集する機能、取込んだ画像と文章とを組み合わせて葉書に印刷する機能等、様々な機能を有している。
【００３２】
この文書作成装置1は、図１に示すように、箱形の筐体2を備え、筐体2の前方には操作手段としてのキーボード3が配置されている。このキーボード3は、筐体2の前方下端近傍に回動可能に装着されており、使用状態では図示したように前方に倒され、使用しない場合には筐体2の前面と対向した状態で収納されている。
【００３３】
このキーボード3は、図３に示すように、電源を入れたり切ったりするための電源スイッチキー30、設定事項の入力操作として項目を選択したり、選択した項目の設定内容を変更するためのカーソルキー32、操作を進めるために設定事項の確定操作として選択対象や変更内容を確定させる実行キー34、表示手段44にトップメニュー画面を表示させるためのトップメニューキー、印刷実行の指示に用いるプリントキー、設定事項の入力操作として文字や数字を入れるための文字・数字キー36等が配置されており、夫々のキーが操作手段として機能し、使用者の入力操作に基づいて所定の操作信号を後述の制御手段に送信する。
【００３４】
筐体2の前面には、印刷が完了した葉書や写真等の印刷用紙10が排出される排紙口5と、メモリーカード等の可搬型記憶媒体を挿入可能な記憶媒体挿入口6とが形成されている。この記憶媒体挿入口6は、メモリーカード等の着脱可能な可搬型記憶媒体が挿入されることにより、デジタルカメラで撮影された写真の画像データや、パーソナルコンピュータで編集された文章等の編集データを文書作成装置1に取り込み可能とするとともに、文書作成装置1で編集したデータをメモリーカード等に保存可能とする。
【００３５】
また、筐体2の上面には、表示手段とされる液晶等の表示部8が配置され、この表示部8は筐体2の正面方向に回動可能とされている。この表示部8は、キーボード3からの入力信号に対応して画面上に入力内容が表示される、或いは、各種の設定に必要なメニュー画面が表示される、又は、デジタルカメラから取り込んだ写真画像が表示される等、文書作成装置1で必要とする各種のデータが表示される。尚、この表示部8は、タッチパネルとして構成されることもある。表示部8をタッチパネルとして構成することによりキーボード3を使用せずとも表示部8上で簡単な入力操作が可能となる。
【００３６】
さらに、筐体2の上部には、筐体2の後方側から筐体2の上方までの間を回動可能な取っ手15が装着されている。この取っ手15は、略コ字状に形成され、文書作成装置1の運搬時等に把持されて使用される。
【００３７】
そして、文書作成装置1は、図２に示すように、筐体2の背面に開口する空腔部16を有し、この空腔部16の開口を塞ぐように給紙トレイ18が配置されている。この給紙トレイ18は、筐体2の後方であって下方近傍位置に軸着されており、上端を前後方向に移動させるように回動可能とされ、印刷用紙10を複数枚重ねて収容することができるようになっている。
【００３８】
また、給紙トレイ18の内側であって上方位置には、給紙トレイ18に収容された印刷用紙10を１枚ずつ下方に送り出すピックアップローラ19が配置されている。また、給紙トレイ18の下端近傍には、ピックアップローラ19によって下方に送り出された印刷用紙10を筐体2の排紙口5方向へと搬送する搬送ローラ20a,20bが配置されている。さらに、筐体2の内部であって搬送ローラ20a,20bの前方近傍には、印刷手段とされる印刷ヘッド21が配置されている。また、筐体2の内部であって印刷ヘッド21の前方には、印刷を完了した印刷用紙10を排紙口5から排出する排紙ローラ22a,22bが配置されている。この搬送ローラ20aと排紙ローラ22aは、図示しないステッピングモータによって回転を制御されて、所定速度で印刷用紙10を搬送している。尚、ピックアップローラ19と、搬送ローラ20a,20bと、排紙ローラ22a,22bとは、文書作成装置1における搬送手段として機能している。
【００３９】
印刷手段とされる印刷ヘッド21は、Ｙ（イエロー）、Ｍ（マゼンタ）、Ｃ（シアン）の各色インクを吐出する夫々のノズルを有するインクジェット方式の印刷ヘッド21とされ、ノズルから各色を印刷用紙10に噴射することにより印刷を実行する。尚、インクジェット方式の印刷ヘッド21について述べたが、本発明がインクジェット方式に限定されるものではない。
【００４０】
そして、給紙トレイ18に収容された印刷用紙10は、ピックアップローラ19によって前方に位置する印刷用紙10から順に下方に送り出され、搬送ローラ20a,20bとの間に挟み込まれた状態で印刷ヘッド21の下方に繰り出され、印刷が完了後、排紙ローラ22a,22bの間に挟み込まれて排紙口5から外部へと排出される。
【００４１】
次に、本実施例の文書作成装置1の制御回路について述べる。図４は、文書作成装置1の機能回路ブロック図である。この文書作成装置1は、図４に示すように、制御手段41とするＣＰＵと、ＲＯＭ51やＲＡＭ52等の記憶手段42と、表示手段44と、操作手段45と、印刷機構47と、音声案内手段48と、を備える。
【００４２】
この文書作成装置1は、表示画面の表示回数に応じて表示画面が表示されてから所定時間だけ音声案内の出力を行わない音声出力制御機能を備えている。この音声出力制御機能は、制御手段41と、操作手段45と、表示手段44と、音声情報記憶手段と、音声案内手段48と、計数手段及び計時手段と、表示回数情報記憶手段と、音声制限情報記憶手段と、によって実現される。
【００４３】
操作手段45は、使用者が所定の操作を行う上述したキーボード3であって、電源スイッチキー30、カーソルキー32、実行キー34、プリントキー等を備えている。表示手段44は、各種の表示画面を表示する上述した液晶等の表示部8であって、所定の操作信号を受信した制御手段41により制御されて、ＲＯＭ51に予め記憶されている文書作成装置1の動作や処理機能に関する種々の設定を行うための複数の設定画面等（表示画面）を表示する。尚、操作手段45としては、表示部8の表面にタッチパネルが設けられる場合は、このタッチパネルを含む。
【００４４】
制御手段41は、操作手段45からのキー操作信号に応じて、又は、自動で、ＲＯＭ51に予め記憶されているシステムプログラム、メモリーカードに記憶された制御プログラム等を起動させ、ＲＡＭ52をワークメモリとして回路各部の動作を制御する。また、制御手段41は、ＲＯＭ51に予め記憶されている音声案内等の音声案内情報と、各表示画面についてＲＡＭ52に記憶された表示回数の情報と、ＲＡＭ52に記憶される遅延時間情報とを読み出し、音声案内情報出力を所定時間だけ行わない制限処理を実行する。
【００４５】
具体的には、制御手段41は、表示手段44に表示画面が表示され、その表示開始とともに計時される計時手段による計測時間が表示画面の表示回数毎（基準表示回数）に対応して設定された遅延時間を経過するまで、所定の表示画面の操作に関する音声案内情報に基づく音声出力を音声案内手段48にさせない音声出力待機処理を実行する。
【００４６】
そして、制御手段41は、操作手段45からの所定の操作信号を受信したとき、ＲＯＭ51に予め記憶されている複数の表示画面情報の中から受信した操作信号に応じた表示画面情報を選択して、該表示画面情報に基づく表示画面を表示手段44に表示させる制御を行う。また、制御手段41は、文書作成装置1の電源が投入されている間において、複数の各表示画面が表示手段44に表示される回数を表示画面毎に計数する計数手段及び表示画面が表示されてからの時間を計る計時手段としての機能も担う。
【００４７】
この計数手段としての制御手段41は、表示手段44に表示される各表示画面の表示回数を計数する。この計数手段は、表示画面が切替えられるスイッチキーが操作される度に表示画面の表示回数を計数する。表示画面が切替えられるスイッチキーとしては、例えば、図３に示したように、トップメニュー画面を表示させるために操作するトップメニューキー、所定の表示画面（設定画面）の操作を確定して次の表示画面（設定画面）に進むために操作する実行キー34、或いは前の表示画面に戻るために操作される取消キー38（以下、「画面切替えキー」という）がある。
【００４８】
そして、画面切替えキーが操作されることにより、表示画面が電源投入後に複数回表示された場合、計数手段はその都度計数処理を実行して、表示回数情報記憶手段に表示回数情報を更新記憶する。また、この表示回数情報記憶手段に記憶される表示回数の情報は制御手段41により電源投入時に初期化される。
【００４９】
つまり、電源を投入した際には、表示回数情報としての表示回数カウンタの数値がリセットされて「０」となる。そして、この表示回数カウンタは、表示画面が切替えられた後に再度当該表示画面が表示されたときにカウントアップされる。
【００５０】
尚、表示回数カウンタの数値は表示画面の表示回数の数値に対して「１」だけ少ない。例えば、電源投入後に初めて表示された表示画面における表示回数カウンタは「０」である。また、電源投入後に所定の表示画面の表示回数が２回目となったときには、表示回数カウンタは「１」と計数され、表示回数が３回目となったときには、表示回数カウンタは「２」と計数される。そして、電源を切って再投入した際には、その都度初期化されて表示回数カウンタは「０」として更新記憶される。
【００５１】
計時手段としての制御手段41は、表示手段44に各表示画面を表示させてからの時間を計測する。具体的には、計時手段は、表示画面が表示手段44に表示されてから、後述の所定の遅延時間を経過するまで、又は、使用者が表示手段44に表示される表示画面上で作業を完了して次の表示画面に移行する操作を行うまで（例えば、操作手段45による入力操作のうちの所定の操作とされる画面切替えキーの入力操作を行うまで）の経過時間を計測する。尚、ここでは、設定事項の確定操作を行う上記画面切替えキーが操作されるまでの時間を計時するが、カーソルキー32や文字・数字キー36などの設定事項を選択したり設定事項に具体的な数値を入力するなどの操作を行う入力キーについてはその操作があっても、経過時間の停止を行うことなく計時対象とはしない。
【００５２】
記憶手段42としてのＲＯＭ51には、文書編集時に使用する文字フォントや印刷の字体、編集する印刷用紙の規格情報、制御手段41が各種手段を制御する場合の制御プログラム等が記憶されている。また、ＲＯＭ51は、本文書作成装置1の動作に係る各種設定を行うための設定画面等の複数の表示画面の情報を予め記憶する表示画面情報記憶手段として機能するとともに、その各表示画面の操作に関する音声案内情報やエラーメッセージに関する音声案内情報を予め記憶する音声情報記憶手段として機能する。
【００５３】
記憶手段42としてのＲＡＭ52は、操作手段45で入力された文字等の文書の編集情報をワークメモリとして記憶する処理や、表示手段44に表示されるパターンデータを記憶する処理等を行う。また、ＲＡＭ52は、計数手段により計数された複数の各表示画面の表示回数の情報を記憶する表示回数情報記憶手段として機能する。
【００５４】
さらに、ＲＡＭ52は、計数手段により計数された表示画面の表示回数と対応する遅延時間情報を記憶している。したがって、ＲＡＭ52は、計時手段により計測された時間が所定時間としての遅延時間を経過するまで所定の表示画面の操作に関する音声案内情報に基づく音声出力を音声案内手段48に行わせない音声制限情報を記憶する音声制限情報記憶手段としても機能する。
【００５５】
つまり、音声制限情報記憶手段には、表示画面の表示回数に関して音声案内の所定の制御を行うための基準となる基準表示回数の情報と、その基準表示回数に対応して、表示画面の表示開始のタイミングに遅延して出力を開始する音声案内の出力開始のタイミングを設定する遅延時間の情報が記憶されている。具体的には、第１の基準表示回数が１回、第２の基準表示回数が２回、第３の基準表示回数が３回以上と定められ、第１〜第３の基準表示回数に対応する第１〜第３の遅延時間は、夫々２秒、４秒、１分と定められている。
【００５６】
したがって、音声制限情報記憶手段に記憶される遅延時間は、表示画面の表示回数に応じて異なり、特に、計数手段としての制御手段41によって計数された表示画面の表示回数が第３の基準表示回数以上となったときには上記のように４秒から１分（即ち、第３の遅延時間は、表示回数が２回目であるときに対応する第２の遅延時間として設定される４秒に対して１５倍となる）に切換えられる。
【００５７】
尚、設定される遅延時間は、上記に限定されるものではないが、第１及び第２の遅延時間情報は、数秒〜１０秒程度の異なる値を予め記憶させておき、第３の遅延時間の情報としては、第１或いは第２の遅延時間に対して８〜２０倍程度の値を予め記憶させておくことが好適である。これにより、表示回数が第３の基準回数未満であるときには、数秒程度で案内が開始されるが、第３の基準回数に達したときには比較的長い時間が経過されるまで音声案内が開始されない文書作成装置1として構成することができる。
【００５８】
また、音声制限情報記憶手段には、音声案内手段48の音声案内の出力の途中で所定の操作として画面切替えキーの入力操作が行われたときには、音声案内手段48に音声案内の出力を中止させ、表示手段44に次の表示画面を表示させる情報も記憶されている。
【００５９】
印刷機構47は、印刷手段55と搬送手段56から構成され、印刷手段55は、上述した印刷ヘッド21とされるものであって、印刷用紙10に印刷を実行する処理を行う。また、搬送手段56は、上述したピックアップローラ19、搬送ローラ20a,20bや排紙ローラ22a,22b、ローラを回転させるステッピングモータによって構成され、印刷用紙10を搬送する処理を行う。
【００６０】
音声案内手段48は、音声情報記憶手段に記憶された音声案内情報を制御手段41に制御されて音声の出力を実行するスピーカである。
【００６１】
以下、文書作成装置1において葉書を印刷する際の音声出力制御の制御フローについて述べる。図５は、文書作成装置1における制御フローを示すフローチャートであり、図６乃至図８は、文書作成装置1の表示手段44に表示される表示画面を示す説明図である。尚、画面切替えキーの操作については、実行キー34が操作された例について説明する。
【００６２】
まず、文書作成装置1の制御手段41が実行する処理の概要について説明する。この文書作成装置1の制御手段41は、電源スイッチキー30が操作されて電源が投入されたときに表示画面を表示手段44に表示させるとともに表示回数情報を初期化する初期化処理（ステップＳ１０１）を実行する。また、この文書作成装置1の制御手段41は、入力操作に従って表示手段44に表示画面を表示した後、当該表示画面の表示回数情報を表示回数情報記憶手段から読み出す表示回数取得処理（ステップＳ１０３）を実行する。
【００６３】
そして、使用者がカーソルキー32や実行キー34等の各種の操作手段45を操作すると、制御手段41は、表示手段44や音声案内手段48等を制御する。また、この制御手段41は、所定の表示画面を表示手段44に表示させているときに、操作手段45のうち画面の切替えを実行するための実行キー34や取消キー38等の画面切替えキーが操作されて所定の操作が行われたか否かを確認する操作信号確認処理（ステップＳ１２０）を実行する。
【００６４】
そして、制御手段41は、操作信号確認処理（ステップＳ１２０）において画面切替えキーの入力を確認した場合、表示手段44に複数の表示画面のうち使用者の入力操作に対応する次の表示画面（次のステップの表示画面や前のステップの表示画面、或いはトップメニューなどの所定の表示画面）を表示させる表示画面表示処理（ステップＳ１９０）を実行する。また、制御手段41は、電源が投入されてから以降、その電源が遮断されるまでの間において、表示画面表示処理（ステップＳ１９０）によって各表示画面が表示手段44に表示される回数を計数手段として計数する表示回数計数処理（ステップＳ１９０）を実行する。さらに、制御手段41は、このとき表示回数情報記憶手段に表示回数情報を更新記憶させる表示回数情報記憶処理も実行する。尚、この表示回数情報記憶処理では、表示画面毎に表示回数の情報が記憶される。
【００６５】
また、制御手段41は、計時手段であるタイマによる時間計測を開始させる、或いは停止させる計時開始処理（ステップＳ１１０）や計時停止処理（ステップＳ１４０、Ｓ１６５）を実行する。さらに制御手段41は、計時手段であるタイマが計時中であるか否かを確認する計時確認処理（ステップＳ１２５、Ｓ１６０）を実行する。
【００６６】
そして、制御手段41は、使用者による画面切替えキーの入力操作が行われることなく計時手段による計時中の時間ｔが音声制限情報記憶手段に記憶される遅延時間を経過したか否かを判定する時間判定処理（ステップＳ１２５、Ｓ１３５、Ｓ１３７）を実行する。
【００６７】
さらに、制御手段41は、音声制限情報記憶手段に記憶される所定の基準表示回数における遅延時間を設定するために、表示回数が１回目或いは２回目であるか否かを確認する表示回数確認処理（ステップＳ１３０、Ｓ１３５）を実行する。
【００６８】
この時間判定処理（ステップＳ１２５、Ｓ１３５、Ｓ１３７）、及び、表示回数確認処理（ステップＳ１３０、Ｓ１３５）は、表示回数に対応する遅延時間情報を音声制限情報記憶手段から参照する音声制限情報参照処理として、更には計時手段による計時中の時間が設定される遅延時間を経過するまでの間、所定の表示画面の操作に関する音声案内情報に基づく音声案内の出力を音声案内手段48に行わせない音声出力待機処理として制御手段41により実行される。
【００６９】
そして、制御手段41は、表示回数に対応する遅延時間が経過したときに音声案内手段48を制御することで音声案内手段48に音声案内を開始させる音声案内開始処理（ステップＳ１５０）を実行する。また、制御手段41は、音声案内中であるか否かを確認する音声案内動作確認処理（ステップＳ１７０）を実行して、音声案内中と確認された場合に音声案内の出力を中止する音声案内停止処理（ステップＳ１７５）を実行する。これにより、音声案内中に、操作内容を理解した使用者等の煩わしさを回避できる。
【００７０】
そして、制御手段41は、以上のような計数処理や音声案内制御処理を実行することで、表示回数に応じて音声案内の出力を開始させるタイミングを変化させ、特に表示回数が第３の基準表示回数である３回目に達したときには音声案内情報を比較的長い時間（１分）だけ出力しないといった音声案内情報出力の制限制御を行う。
【００７１】
次に、電源投入後に初めて表示画面を表示したときの制御フローを第一の場合、２回目に表示画面を表示したときの制御フローを第二の場合、３回目に表示画面を表示したときの制御フローを第三の場合として、夫々の制御フローを使用者の操作手順とともに説明する。
【００７２】
第一の場合の制御フローである電源投入後に初めて表示画面を表示した場合の制御フローを以下に説明する。
使用者が電源スイッチキー30を操作して電源を投入すると、電源スイッチキー30から電源投入の操作信号が制御手段41に送信される。この操作信号を受信した制御手段41は、各表示画面の表示回数の情報を全て初期化する初期化処理（ステップＳ１０１）を実行する。つまり、表示回数カウンタを「０」として表示回数情報記憶手段に記憶する。
【００７３】
そして、初期化処理（ステップＳ１０１）では、図６（ａ）に示すように、最初の画面であるトップメニューの表示画面を表示する表示画面表示処理（同ステップ）が実行される。つまり、このときのトップメニューの表示画面の表示カウントは「０」である。
【００７４】
本実施例におけるトップメニューの表示画面には、図示するように、葉書に印刷する文面を作成するモードに進むための「文面」、葉書に印刷する宛名を作成するモードに進むための「宛名」、写真を印刷するモードに進むための「デジタル写真プリント」、文書作成装置1の設定を変更するモードに進むための「設定」の４つの項目が表示される。
【００７５】
そして、図５に示したように、表示画面表示処理（ステップＳ１０１）が実行された後、制御手段41は表示画面表示処理（ステップＳ１０１）で表示手段44に表示させた表示画面の１回目の表示回数情報である表示回数カウンタ「０」を表示回数情報記憶手段から読み出す表示回数取得処理（ステップＳ１０３）を実行する。
【００７６】
そして、制御手段41は、計時手段であるタイマをスタートさせる計時開始処理（ステップＳ１１０）を実行する。タイマがスタート（ステップＳ１１０）すると、制御手段41は、操作信号確認処理（ステップＳ１２０）と時間判定処理（ステップＳ１２５）とを実行する。
【００７７】
具体的には、制御手段41は、操作信号確認処理（ステップＳ１２０）において画面切替えキーが操作されたか否かを判定し、時間判定処理（ステップＳ１２５）においてタイマによる計時中の時間ｔが第１の遅延時間である２秒を経過したか否かを判定する。つまり、このとき制御手段41は、遅延時間である２秒間だけ表示画面の操作に関する音声案内情報に基づく音声出力を音声案内手段48に行わせずに、使用者による画面切替えキーの入力操作がなされるのを待つ音声出力待機状態となっている。
【００７８】
ここで、画面切替えキーの入力がなされることなく表示画面を表示してから遅延時間である２秒が経過すると、制御手段41は、表示回数カウンタが「０」であるか否かを判定する表示回数確認処理（ステップＳ１３０）を実行する。このとき、表示画面の表示回数は１回目であるため、表示回数確認処理（ステップＳ１３０）において制御手段41は、表示回数が１回目であると判定してタイマをストップする計時停止処理（ステップＳ１４０）を実行して、音声案内手段48に音声案内を出力させる音声案内開始処理（ステップＳ１５０）を実行する。
【００７９】
また、制御手段41は、表示回数確認処理（ステップＳ１３０）を実行することにより、表示回数が１回目であるときは遅延時間を第１の遅延時間である２秒として音声出力待機処理を実行できる。尚、制御手段41は、表示回数が１回目でない場合は、後述するように遅延時間を第２の遅延時間である４秒、或いは第３の遅延時間である１分として再設定して音声出力待機処理を実行する。つまり、制御手段41は、音声案内の出力開始のタイミングを表示画面の表示開始のタイミングから参照する上記第１〜第３の何れかの遅延時間だけ後に設定する。
【００８０】
即ち、制御手段41は、使用者が初めて表示画面を見た場合などで操作に不慣れであるときであって、表示画面を表示してから２秒という比較的短い時間が経過した場合には、当該表示画面に対応した音声案内情報を音声情報記憶手段から取得して音声案内を音声案内手段48に出力させる音声案内開始処理（ステップＳ１５０）を実行して、使用者に操作を促す。また、制御手段41は、使用者が予め表示画面の操作方法を知っている場合などで操作を熟知しているときであって、計時手段による計時中の時間が遅延時間である２秒を経過するまでに操作手段45に対して所定の操作が行われた場合には、音声出力を音声案内手段48に行わせることなく次表示画面を表示させるための各処理（ステップＳ１６０〜１９０）を実行する。
【００８１】
具体的には、操作信号確認処理（ステップＳ１２０）において、遅延時間である２秒が経過する前に、画面切替えキーが操作されたときは、計時手段動作確認処理（ステップＳ１６０）に進む。このとき、計時手段であるタイマが動作中であるため、制御手段41は計時停止処理（ステップＳ１６５）を実行して、次ステップである音声案内動作確認処理（ステップＳ１７０）に進む。音声案内動作確認処理（ステップＳ１７０）において、制御手段41は、音声案内が出力中でないことを確認し、当該表示画面の表示カウントを「０」から「１」にカウントアップする表示回数計数処理を実行するとともに次の表示画面を表示手段44に表示させる表示画面表示処理（ステップＳ１９０）を実行する。
【００８２】
つまり、制御手段41は、計数手段としての当該制御手段41によって計数された表示画面の表示回数が第１の基準表示回数である１回目であるときには、表示画面に対応して音声案内手段48によって行われる音声案内の出力開始のタイミングを表示画面の表示開始のタイミングから所定時間だけ後に設定する所定の遅延時間として２秒間という情報を参照する。そして、その遅延時間の経過前に操作手段45によって所定の操作が行われる場合、制御手段41は、音声案内手段48に音声案内の出力をさせることなく表示手段44に次の表示画面を表示させる。また、遅延時間の経過時までに操作手段45によって所定の操作が行われない場合、制御手段41は、遅延時間の経過とともに音声案内手段48に音声案内を出力させる。
【００８３】
そして、図６（ａ）に示したトップメニューの表示画面において、音声案内開始処理（ステップＳ１５０）が制御手段41により実行された場合、制御手段41は、「葉書の文面を作成するときは文面、宛名を印刷するときは宛名、写真を印刷するときはデジタル写真プリントを選んでください。」という音声案内を音声案内手段48に出力させる。
【００８４】
音声案内の出力が開始された後、制御手段41は、操作信号確認処理（ステップＳ１２０）と計時確認処理（ステップＳ１２５）とを実行する。
【００８５】
具体的には、制御手段41は、操作信号確認処理（ステップＳ１２０）において画面切替えキーが操作されたか否かを判定し、計時確認処理（ステップＳ１２５）においてタイマが停止中であるか否かを確認する。このときタイマは停止中であるため、制御手段41は、使用者による画面切替えキーの入力操作がなされるのを待つ受信待機状態となっている。
【００８６】
そして、音声案内を聞いた使用者がカーソルキー32を操作して「デジタル写真プリント」の選択対象を選択した後、実行キー34を操作すると、制御手段41は、図５に示したように、操作信号確認処理（ステップＳ１２０）において画面切替えキーの入力がなされたと確認して次ステップである計時確認処理（ステップＳ１６０）に進む。タイマは、計時停止処理（ステップＳ１４０）においてストップしているので、次いで制御手段41は音声案内動作確認処理（ステップＳ１７０）を実行する。
【００８７】
上記した音声案内が最後まで出力されずに画面切替えキーが操作された場合には、制御手段41は、音声案内の出力を中止する音声案内停止処理（ステップ１７５）を実行した後、当該表示画面の表示カウントを「０」から「１」にカウントアップする表示回数計数処理を実行するとともに次の表示画面を表示手段44に表示させる表示画面表示処理（ステップＳ１９０）を実行する。つまり、制御手段41は、遅延時間の経過時までに操作手段45によって所定の操作が行われない場合であって、音声案内手段48の音声案内の出力の途中で操作手段45によって所定の操作が行われる場合、音声案内手段48に音声案内の出力を中止させ、表示手段44に次の表示画面を表示させる。
【００８８】
また、上記した音声案内が最後まで出力された後に画面切替えキーが操作された場合には、制御手段41は、音声案内停止処理（ステップＳ１７５）を実行することなく表示画面表示処理（ステップＳ１９０）を実行する。
【００８９】
そして、図６（ｂ）に示すように、次の表示画面であるデジタル写真メニュー画面が表示手段44に表示されると、この表示画面において上記と同様の処理が制御手段41により実行される。即ち、デジタル写真メニュー画面が初めて表示されてから遅延時間である２秒間は音声を出力させない音声出力待機処理が制御手段41により実行され、画面切替えキーの入力がなされることなく遅延時間である２秒を経過した場合、制御手段41は、音声案内を開始する音声案内開始処理（ステップＳ１５０）を実行する。
【００９０】
そして、デジタル写真メニューの表示画面においては、「メモリーカードをカードスロットにセットしてください。デジタル写真メニューの中から項目を選んでください。」という音声案内が出力される。
【００９１】
ここで、音声案内を聞いた使用者が、「選んで」を選択して実行キー34を操作した場合、制御手段41は、操作信号確認処理（ステップＳ１２０）において画面切替えキーの入力がなされたと確認した後、計時確認処理（ステップＳ１６０）や音声案内動作確認処理（ステップＳ１７０）を実行して、次の表示画面である写真設定画面を表示手段44に表示させる表示画面表示処理（ステップＳ１９０）を実行する。
【００９２】
そして、図７（ａ）に示すように、次の表示画面である写真設定画面には、メモリーカード等の記憶手段に記憶される写真の縮小画像が表示され、使用者は複数の縮小画像の中から印刷したい写真を選ぶことができる。このとき、制御手段41は、上記と同様の処理を経て音声案内開始処理（ステップＳ１５０）を実行した場合、音声情報記憶手段から音声案内情報を読み出して、「印刷したい写真を選んで印刷枚数を指定してください。指定が終わったら実行キーを押してください。」という音声案内を音声案内手段48に出力させる。
【００９３】
さらに、写真設定画面において、使用者が印刷したい写真を選び、枚数を決定した後、実行キー34を押すと、図７（ｂ）に示すように、制御手段41は表示手段44に印刷設定画面を表示させる。この画面において、制御手段41は、上記と同様の処理を経て音声案内開始処理（ステップＳ１５０）を実行した場合、「写真を印刷します。上下カーソルキーで項目を選んで、左右カーソルキーで各項目の設定を変更できます。実行キーを押すと、決定します。」という音声案内を音声案内手段48に出力させる。
【００９４】
また、印刷設定画面において、使用者が用紙サイズ、紙質及び印刷タイプの種類、縁の有無を選択して実行キー34を押すと、図８に示すように、制御手段41は表示手段44に印刷処理画面を表示させる。この画面において、制御手段41は、上記と同様の処理を経て音声案内開始処理（ステップＳ１５０）を実行した場合、「印刷する面を表にして用紙をセットしてください。実行キーを押すと、印刷を開始します。」という音声案内を音声案内手段48に出力させる。
【００９５】
そして、制御手段41は、選択された印刷内容に対応した印刷データを作成する印刷データ作成処理を実行する。また、印刷データ作成処理の後、使用者が操作手段45である実行キー34を操作すると、制御手段41には印刷実行指示の操作信号が操作手段45から送信される。操作信号を受信した制御手段41は、印刷データ作成処理において作成した印刷データに従って印刷処理を実行する。そして、印刷処理が終了すると、制御手段41は、表示手段44にトップメニュー画面を再び表示させる。
【００９６】
続いて、第二の場合の制御フローである２回目に表示画面を表示した場合の制御フローを以下に説明する。
上記したように、印刷処理が終了すると、トップメニュー画面が再び表示手段44に表示される。尚、このときのトップメニューの表示画面の表示カウントは表示回数計数処理（ステップＳ１９０）において「１」、つまり２回目として表示回数情報記憶手段に更新記憶されている。
【００９７】
そして、図５に示したように、表示画面表示処理（ステップＳ１９０）が実行された後、制御手段41は表示画面表示処理（ステップＳ１９０）で表示した表示画面の表示回数情報である表示回数カウンタ「１」を表示回数情報記憶手段から読み出す表示回数取得処理（ステップＳ１０３）を実行する。
【００９８】
そして、上記した「第一の場合」の処理と同様に、制御手段41は計時開始処理（ステップＳ１１０）を実行する。タイマがスタート（ステップＳ１１０）すると、制御手段41は、操作信号確認処理（ステップＳ１２０）と時間判定処理（ステップＳ１２５）とを実行する。
【００９９】
ここで、画面切替えキーの入力がなされることなく表示画面を表示してから第１の遅延時間である２秒が経過すると、制御手段41は、表示回数カウンタが「０」であるか否かを判定する表示回数確認処理（ステップＳ１３０）を実行する。このとき、表示画面の表示回数は２回目であるため、表示回数確認処理（ステップＳ１３０）において制御手段41は、表示回数が２回目であると判定し、第２の遅延時間である４秒を参照して音声案内の出力開始のタイミングを再設定し、時間判定処理（ステップＳ１３５）を実行する。つまり、表示回数が第２の基準表示回数である２回目の場合において、制御手段41は、第２の遅延時間である４秒間だけ表示画面の操作に関する音声案内情報に基づく音声出力を音声案内手段48に行わせずに、使用者による画面切替えキーの入力操作がなされるのを待つ音声出力待機状態となっている。
【０１００】
ここで、画面切替えキーの入力がなされることなく表示画面を表示してから第２の遅延時間である４秒が経過すると、制御手段41は、計時停止処理（ステップＳ１４０）を実行して、音声案内開始処理（ステップＳ１５０）を実行する。
【０１０１】
即ち、使用者が表示画面を見たのが２回目である場合、制御手段41は、表示画面を表示してから４秒という１回目に比べて僅かに長い時間が経過したときには、当該表示画面に対応した音声案内情報を音声情報記憶手段から取得して音声案内を開始して、使用者に操作を促す。つまり、初めて表示画面を表示するときには、制御手段41は直ちに（例えば上記のごとく２秒経過後に）音声案内を開始するが、表示回数が２回目のときには、制御手段41は直ちに音声案内を開始せずにしばらくの間（例えば上記のごとく４秒間）だけ、音声出力を音声案内手段48に行わせずに使用者の操作を待つ音声出力待機処理を実行する。
【０１０２】
そして、音声案内を聞いた使用者が実行キー34を操作すると、或いは、計時中の時間が遅延時間である４秒を経過する前に使用者が実行キー34を操作すると、制御手段41は、操作信号確認処理（ステップＳ１２０）において画面切替えキーである実行キー34の入力がなされたことを確認して次ステップである計時確認処理（ステップＳ１６０）に進む。その後は、上記した「第一の場合」の処理と同様に音声案内動作確認処理（ステップ１７０）を実行した後、当該表示画面の表示カウントを「１」から「２」にカウントアップする表示回数計数処理を実行するとともに次の表示画面を表示手段44に表示させる表示画面表示処理（ステップＳ１９０）を実行する。
【０１０３】
そして、再び一連の処理が実行されて印刷が終了すると、制御手段41は、表示手段44にトップメニュー画面を三たび表示させる。
【０１０４】
さらに続いて、第三の場合の制御フローである３回目に表示画面を表示した場合の制御フローを以下に説明する。
上記したように、二度目の印刷処理が終了すると、トップメニュー画面が再び表示手段44に表示される。尚、このときのトップメニューの表示画面の表示カウントは表示回数計数処理（ステップＳ１９０）において「２」、つまり３回目として表示回数情報記憶手段に更新記憶されている。
【０１０５】
そして、表示画面表示処理（ステップＳ１９０）が実行された後、制御手段41は表示画面表示処理（ステップＳ１９０）で表示した表示画面の表示回数情報である表示回数カウンタ「２」を表示回数情報記憶手段から読み出す表示回数取得処理（ステップＳ１０３）を実行する。
【０１０６】
そして、上記した「第一及び第二の場合」の処理と同様に、制御手段41は計時開始処理（ステップＳ１１０）を実行する。タイマがスタート（ステップＳ１１０）すると、制御手段41は、操作信号確認処理（ステップＳ１２０）と時間判定処理（ステップＳ１２５）とを実行する。
【０１０７】
さらに、制御手段41は、表示回数カウンタが「０」であるか否かを判定する表示回数確認処理（ステップＳ１３０）と、表示回数カウンタが「１」であるか否かを判定する表示回数確認処理（ステップＳ１３５）と、を実行する。このとき、表示画面の表示回数は３回目であるため、表示回数確認処理（ステップＳ１３５）において制御手段41は、表示回数が第３の基準表示回数である３回目以上（２回目でない）と判定し、第３の遅延時間である１分を参照して音声案内の出力開始のタイミングを再々設定し、時間判定処理（ステップＳ１３７）を実行する。つまり、表示回数が３回目の場合において、制御手段41は、第３の遅延時間である１分間だけ表示画面の操作に関する音声案内情報に基づく音声出力を音声案内手段48に行わせずに、使用者による画面切替えキーの入力操作がなされるのを待つ音声出力待機状態となっている。
【０１０８】
ここで、画面切替えキーの入力がなされることなく表示画面を表示してから第３の遅延時間である１分が経過すると、制御手段41は、計時停止処理（ステップＳ１４０）を実行して、音声案内開始処理（ステップＳ１５０）を実行する。
【０１０９】
即ち、使用者が表示画面を見たのが３回目である場合、制御手段41は、表示画面を表示してから１分という２回目のときに比べて１５倍という長い時間が経過したときに、当該表示画面に対応した音声案内情報を音声情報記憶手段から取得して音声案内を開始して、使用者に操作を促す。つまり、初めて表示画面を表示するときや２回目に表示画面を表示したときには、制御手段41は比較的すぐに音声案内を開始するが、表示回数が３回目のときには、制御手段41は音声案内を開始せずに、使用者の操作を待つ音声出力待機処理を実行する。そして、１分間という比較的長い時間が経過した後に音声案内開始処理（ステップＳ１５０）を実行する。
【０１１０】
そして、再び一連の処理が実行されて印刷が終了すると、制御手段41は、表示手段44に四度目となるトップメニュー画面を表示させる。
【０１１１】
その後のトップメニュー画面等の設定画面における制御手段41の制御フローは、「第三の場合」の処理と同一である。
【０１１２】
したがって、本発明によれば、表示画面の表示回数を計数し、該表示回数に応じて表示画面に対応する音声案内の出力開始のタイミングを表示画面の表示開始のタイミングより所定時間だけ遅延させ、その所定時間内に表示画面に対応した所定の操作が行われる場合に、音声案内を行わない処理を行うことにより、その所定時間内に操作可能な操作に習熟した操作者に対して不要な音声案内を出力することがなく快適に操作できるようにする一方で、操作に手間取るようなことがあれば音声案内を出力するようにして、必要な場合に音声案内の出力を行うことができる文書作成装置1を提供することができる。
【０１１３】
また、第１及び第２の遅延時間情報を数秒程度の複数の値（例えば上記のごとく１回目のときは２秒、２回目のときは４秒）として予め設定しておくことで、初めての表示画面においては音声案内が直ちに開始されるため、使用者は音声案内に従って容易に操作を行うことができる。さらに、表示画面の表示回数が２回目であるときには、しばらくの間は音声出力を行わずに使用者の操作を待ってから音声案内を開始するため、操作案内を一度で理解した使用者の感じる煩わしさを軽減することができる。
【０１１４】
また、この文書作成装置1は、表示回数情報記憶手段に記憶される表示回数の情報を電源投入時に初期化する構成としている。これにより、未使用期間を経て再度電源を投入したときにも自動で音声案内を実行して使用者が容易に操作を行うことができる文書作成装置1を提供することができる。
【０１１５】
そして、表示画面によって操作の難易度が異なる場合に対応することができるように、表示画面毎に音声出力を大幅に遅らせる基準表示回数の条件や、各基準表示回数の条件及び各基準表示回数における遅延時間を使用者が自由に変更できるように文書作成装置1を構成することが好適である。このとき、制御手段41は、使用者が所定の設定画面において操作手段45を操作することにより、少なくとも１つの基準表示回数及びこの基準表示回数に対応する遅延時間を夫々任意に設定可能な設定手段として機能する。尚、設定手段としての制御手段41は、予め定められた少なくとも１つの基準表示回数に対応した遅延時間のみを任意の時間に設定可能なシンプルな構成としてもよい。
【０１１６】
また、表示回数がある基準表示回数未満のときと、表示回数がその基準表示回数以上となったときとの音声待機時間に差を生じさせるために、例えば、短い遅延時間情報は、数秒〜１０秒程度の範囲内で使用者により自由に変更可能とされ、長い遅延時間情報は、数十秒〜数分程度の範囲内で使用者により自由に変更可能とされる構成とすることがより好適である。
【０１１７】
この場合、使用者が所定の操作を行ったとき、図９（ａ）、（ｂ）に示すように、制御手段41は、表示手段44に音声ガイダンス設定画面を表示する。そして、図９（ａ）に示したように、音声出力を大幅に遅らせる基準表示回数を上記のように３回に限定して音声制限情報記憶手段に記憶させておくことなく、２回、或いは４回以上として、表示画面毎に設定可能にすることで、使用者は、難易度の異なる表示画面に応じて難易度に合わせた調整を行うように適宜設定を変えることができる。
【０１１８】
また、図９（ｂ）に示したように、表示回数に応じた遅延時間を上記のように１回目の表示のときには２秒、２回目の表示のときには４秒、３回目の表示のときには１分という固定値として音声制限情報記憶手段に記憶させておくことなく、夫々、異なる遅延時間を設定可能にすることで、使用者は、難易度の異なる表示画面に応じて難易度に合わせた調整を行うように適宜設定を変えることができる。
【０１１９】
尚、本実施例におけるフローチャートに示した処理は、コンピュータに実現させることのできるプログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施例で述べた各処理を記憶させ、他のコンピュータ等でプログラムを実行させることにより、本実施例の装置を用いた場合と同様の作用効果が得られる。尚、コンピュータは、本実施例で述べた装置に内蔵されたコンピュータに限定されるわけではなく、記憶媒体に記憶されたプログラムを読み取り可能であって、読み取ったプログラムに従って制御動作を行うＣＰＵ等の演算装置を備えているあらゆるコンピュータを含む。
【０１２０】
また、本実施例においては、音声出力制御の説明のため文書作成装置1を用いて述べたが、この音声出力制御は、音声案内手段48を備えたあらゆる電子機器において使用でき、文書作成装置1に特化した発明ではない。この音声案内手段48を備えた電子機器の例としては、撮像装置、投影装置、電子レンジ、給湯器、家電、自動車、パーソナルコンピュータ等が考えられる。
【０１２１】
さらに、本発明は、以上の実施例に限定されるものでなく、発明の要旨を逸脱しない範囲で自由に変更、改良が可能である。例えば、予め音声制限情報記憶手段に記憶させる遅延時間は、上記した場合に限定されることはない。
【０１２２】
そして、音声制限情報記憶手段に記憶する音声制限情報や、制御手段41による各処理の流れも上記した態様に限定されることなく、様々な態様を採用することができる。
【符号の説明】
【０１２３】
1  文書作成装置                         2  筐体
3  キーボード
5  排紙口                               6  記憶媒体挿入口
8  表示部                               10  印刷用紙
15  取っ手                              16  空腔部
18  給紙トレイ                          19  ピックアップローラ
20a,20b  搬送ローラ                     21  印刷ヘッド
22a,22b  排紙ローラ                     
30  電源スイッチキー                    32  カーソルキー
34  実行キー                            36  文字・数字キー
41  制御手段                            42  記憶手段
44  表示手段
45  操作手段                            47  印刷機構
48  音声案内手段                        
51  ＲＯＭ                              52  ＲＡＭ
55  印刷手段                            56  搬送手段
【図１】
2011043894.tif 000003
【図２】
2011043894.tif 000004
【図３】
2011043894.tif 000005
【図４】
2011043894.tif 000006
【図５】
2011043894.tif 000007
【図６】
2011043894.tif 000008
【図７】
2011043894.tif 000009
【図８】
2011043894.tif 000010
【図９】
2011043894.tif 000011